(57)【要約】【課題】ネジ端子を有する電子部品を、配線ケーブルを用いることなく装着可能とした配線基板を備える電気機器を提供する。【解決手段】電気機器は、配線接続用の複数のネジ端子が一主面側に設けられた電子部品と、電子部品が接続された配線基板とを備える。配線基板は、電子部品のネジ端子にそれぞれ対応し、一端が片持ち支持されて弾性変形可能な複数の接続片部が形成されており、各接続片部と各ネジ端子とを、ネジを介して機械的かつ電気的に接続した。【選択図】図３Ａ
2014103225.tif 000002
【特許請求の範囲】
【請求項１】
配線接続用の複数のネジ端子が一主面側に設けられた電子部品と、当該電子部品が接続された配線基板とを備え、
前記配線基板は、
前記電子部品の前記ネジ端子にそれぞれ対応し、一端が片持ち支持されて弾性変形可能な複数の接続片部が形成されており、各前記接続片部と各前記ネジ端子とを、ネジを介して機械的かつ電気的に接続した
ことを特徴とする電気機器。
【請求項２】
前記電子部品は、
それぞれ前記ネジ端子が設けられる複数の端子接続部が隔壁を介して区画形成された端子台を備え、
前記配線基板は、
隣接する前記接続片部同士の間に、前記隔壁を挿通可能とした開口部が形成されている
ことを特徴とする請求項１に記載の電気機器。
【請求項３】
前記隔壁は、
前記端子台の略中央で長手方向に延在する第１隔壁構成体と、
前記端子台の短手方向にそれぞれ延在し、一定間隔をあけて前記第１隔壁構成体と交差する複数の第２隔壁構成体と
を備え、
前記開口部は、
前記第１隔壁構成体に対応する幹状スリットと、前記複数の第２隔壁構成体にそれぞれ対応し、前記幹状スリットと交差する方向に延在する複数の枝状スリットとを有する
ことを特徴とする請求項２に記載の電気機器。
【請求項４】
前記第１隔壁構成体は、前記複数の端子接続部を第１接続部列と第２接続部列とに区画し、
前記第２隔壁構成体は、前記第１接続部列内および前記第２接続部列内の端子接続部をそれぞれ個別に区画する
ことを特徴とする請求項３に記載の電気機器。
【請求項５】
前記電子部品は、
前記一主面が前記配線基板の表面側に対峙した状態で配置され、前記配線基板の裏面側からネジ止めされている
ことを特徴とする請求項１または２に記載の電気機器。
【請求項６】
前記電子部品は、
前記一主面が前記配線基板の裏面側に対峙した状態で配置され、前記配線基板の表面側からネジ止めされている
ことを特徴とする請求項１または２に記載の電気機器。
【請求項７】
前記電子部品は、
前記ネジ端子が設けられる端子取付面が高さ違いの階段状に形成されており、前記配線基板の前記接続片部に対し、当該接続片部と離隔した前記端子取付面の前記ネジ端子は、スペーサを介してネジ止めされている
ことを特徴とする請求項５または６に記載の電気機器。
【発明の詳細な説明】
【技術分野】
【０００１】
開示の実施形態は、電気機器に関する。
【背景技術】
【０００２】
従来、各種電子部品を実装したプリント配線基板を備える電気機器がある。たとえば、太陽光発電用のパワーコンディショナや産業用のインバータなどの電気機器では、比較的大型のリレーなどが電子部品として装着されたプリント配線基板を備えている。
【０００３】
かかるリレーをはじめとするコンデンサやトランスなどのような比較的大型の電子部品が実装されるプリント配線基板の構成として、電子部品を埋設する開口部を設けたものが知られている（たとえば、特許文献１を参照）。
【先行技術文献】
【特許文献】
【０００４】
【特許文献１】特開２０１１−２５８６０１号公報
【発明の概要】
【発明が解決しようとする課題】
【０００５】
しかし、電子部品が、例えばネジ端子を有する端子台を備えている場合、上記構成を有するプリント配線基板に装着したとしても、ネジ端子とプリント配線基板の配線パターンとは、結局のところ配線ケーブルで三次元的に接続しなければならない。配線ケーブルを用いるとなると、実装工程が面倒であり、省配線化にも逆行する。
【０００６】
実施形態の一態様は、ネジ端子を有する電子部品を、配線ケーブルを用いることなく装着可能とした配線基板を備える電気機器を提供することを目的とする。
【課題を解決するための手段】
【０００７】
実施形態の一態様に係る電気機器は、配線接続用の複数のネジ端子が一主面側に設けられた電子部品と、当該電子部品が接続された配線基板とを備える。前記配線基板は、前記電子部品の前記ネジ端子にそれぞれ対応し、一端が片持ち支持されて弾性変形可能な複数の接続片部が形成されており、各前記接続片部と各前記ネジ端子とを、ネジを介して機械的かつ電気的に接続する。
【発明の効果】
【０００８】
実施形態の一態様によれば、ネジ端子を有する電子部品を、配線ケーブルを用いることなく装着可能とした配線基板を備える電気機器を提供することができる。
【図面の簡単な説明】
【０００９】
【図１】図１は、本実施形態に係る電気機器が備える配線基板の説明図である。
【図２】図２は、本実施形態に係る電子部品の一例であるリレーの説明図である。
【図３Ａ】図３Ａは、同実施形態に係る配線基板への電子部品の取付け方法を示す説明図である。
【図３Ｂ】図３Ｂは、同実施形態に係る電子部品が同上の配線基板に取付けられた状態を示す説明図である。
【図４】図４は、同上の配線基板と電子部品との接続状態を横断面視で示した説明図である。
【図５】図５は、同上の接続片部と電子部品との接続状態を一部縦断面視で示した説明図である。
【図６】図６は、同実施形態に係る配線基板の要部を拡大した説明図である。
【図７】図７は、同上の配線基板の接続片部の説明図である。
【図８Ａ】図８Ａは、図６のＩ−Ｉ線における拡大断面図である。
【図８Ｂ】図８Ｂは、図６のＩＩ−ＩＩ線における拡大断面図である。
【図９Ａ】図９Ａは、電子部品の一形態を示す説明図である。
【図９Ｂ】図９Ｂは、電子部品の一形態を示す説明図である。
【図１０】図１０は、電子部品の一形態を示す説明図である。
【図１１】図１１は、本実施形態に係る電気機器の一例を示す説明図である。
【発明を実施するための形態】
【００１０】
以下、添付図面を参照して、本願の開示する電気機器の実施形態を詳細に説明する。なお、以下に示す実施形態によりこの発明が限定されるものではない。
【００１１】
まず、本実施形態に係る電気機器が備えるプリント配線基板（以下、単に「配線基板１」とする）と、この配線基板１に搭載される電子部品としてのリレー２の概要について、図１〜図５を用いて説明する。
【００１２】
図１は、配線基板１の説明図、図２は、本実施形態に係る電子部品の一例であるリレー２の説明図である。また、図３Ａは、配線基板１への電子部品（リレー２）の取付け方法を示す説明図、図３Ｂは、同電子部品（リレー２）が配線基板１に取付けられた状態を示す説明図である。また、図４は、配線基板１と電子部品（リレー２）との接続状態を横断面視で示した説明図、図５は、同接続状態を一部縦断面視で示した説明図である。
【００１３】
図１、図３Ａおよび図３Ｂに示すように、配線基板１は、矩形板状に形成されており、絶縁基板に、銅箔などの導電体で配線パターン（不図示）が形成されるとともに、搭載された各種電子部品と電気的に接続するためのスルーホール導体１０１が適宜形成されている。そして、図１に示すように、配線基板１上には、リレー２を含む複数種の電子部品４１が配設されている。
【００１４】
配線接続用の複数のネジ端子２３が一主面側に設けられた電子部品の一例であるリレー２のケースは、一般に合成樹脂により成型されている。図２に示すように、リレー２は、矩形箱状に形成され、コイルやコアなどの機能部を内蔵した本体部２０と、この本体部２０の一主面側に設けられた端子台３０とを備えている。
【００１５】
ここで、本体部２０の主面とは、矩形箱状の本体部２０の底面および天井面を指し、リレー２を配線基板１に取付けた際に、配線基板１に対して対向する面である。
【００１６】
たとえばリレー２を、３次元的に配線で接続する使用形態とするのであれば、端子台３０は、本来、天井面側に設けられていることになる。しかし、本実施形態においては、天地逆さまにした状態でリレー２を配線基板１に取付ける。そのため、ここでは、端子台３０が設けられる一主面は底面を指すとも言える。
【００１７】
かかる端子台３０は、図２、図４および図５に示すように、それぞれネジ端子２３が設けられる複数の端子接続部２４が隔壁２５を介して区画形成されている。なお、配線基板１の配線パターンの表面側は、図４に示すように、ソルダーレジスト層１３で覆われているが、図５においてはソルダーレジスト層１３を省略している。
【００１８】
隔壁２５は、端子台３０の略中央で長手方向に延在する第１隔壁構成体２１と、端子台３０の短手方向にそれぞれ延在し、一定間隔をあけて第１隔壁構成体２１と交差する複数の第２隔壁構成体２２とから構成されている。
【００１９】
すなわち、第１隔壁構成体２１と各第２隔壁構成体２２とは直交状態に交差しており、第１隔壁構成体２１は、複数の端子接続部２４を、リレー２の長手方向に並設する第１接続部列２４ａと第２接続部列２４ｂとに区画している。一方、第２隔壁構成体２２は、第１接続部列２４ａ内および第２接続部列２４ｂ内の端子接続部２４をそれぞれ個別に区画している。
【００２０】
ここでは、第１接続部列２４ａと第２接続部列２４ｂとにそれぞれ４つの端子接続部２４が形成され、計８つの端子接続部２４が設けられている。そして、第１隔壁構成体２１を挟んで対向して位置する端子接続部２４，２４のネジ端子２３，２３同士が一対の端子として用いられる。
【００２１】
なお、第１隔壁構成体２１および第２隔壁構成体２２からなる隔壁２５は、それぞれ合成樹脂などの絶縁材料により形成される。これにより、これらに囲まれて形成された空間である端子接続部２４は、隔壁２５によって、隣接する他の端子接続部２４に対して所定の絶縁距離が確保される。また、第１隔壁構成体２１および第２隔壁構成体２２は、端子台３０におけるリブとしての機能も有し、端子台３０の強度アップに寄与している。
【００２２】
かかる端子接続部２４内に設けられたネジ端子２３は、所定サイズのネジ３と、座金３１と、端子台３０側に固定された導通板３２とを備えて構成される。座金３１には、ネジ３に対応する挿通孔が形成され、導通板３２にはネジ３が螺合可能なネジ孔が形成されている。
【００２３】
上記構成のリレー２を配設する配線基板１には、図３Ａに示すように、リレー２のネジ端子２３にそれぞれ対応する接続片部１０が形成されたリレー取付部１ａが設けられている。すなわち、リレー２は、配線基板１に対し、リレー２の各ネジ端子２３とリレー取付部１ａの各接続片部１０とがそれぞれネジ３を介して機械的かつ電気的に接続される。
【００２４】
このように、本実施形態に係るリレー２は、端子台３０が設けられた一主面が配線基板１の表面側に対峙した状態で配置され、配線基板１の裏面側からネジ止めされることにより、機械的かつ電気的に接続されることになる。ここで、本実施形態に係る配線基板１においては、電子部品（リレー２）の本体部分が搭載される面を表面とし、その反対面を裏面としている。
【００２５】
ここで、さらに、図６〜図８を用いながら、配線基板１におけるリレー２の取付構造について説明する。図６は、実施形態に係る配線基板１の要部を拡大した説明図、図７は、配線基板１の接続片部１０の説明図である。また、図８Ａは、図６のＩ−Ｉ線における拡大断面図、図８Ｂは、図６のＩＩ−ＩＩ線における拡大断面図である。
【００２６】
配線基板１には、図３Ａに示すように、所定の位置にリレー取付部１ａが設けられている。このリレー取付部１ａは、図６に示すように、リレー２の８つのネジ端子２３にそれぞれ対応し、一端が片持ち支持されて弾性変形可能な８つの接続片部１０が形成されている。
【００２７】
そして、隣接する接続片部１０同士の間に、隔壁２５を挿通可能とした開口部１００が形成されている。かかる開口部１００は、図示するように、リレー２の第１隔壁構成体２１に対応する幹状スリット１１０と、リレー２の複数の第２隔壁構成体２２にそれぞれ対応し、幹状スリット１１０と交差する方向に延在する複数の枝状スリット１２０とを有する。
【００２８】
また、図６に示すように、各接続片部１０の自由端側の領域には、配線パターンが剥き出し状態で露出した導通部１１が設けられており、この導通部１１がリレー２のネジ端子２３と当接する。なお、本実施形態に係る配線基板１は、両面側に２層の配線パターンを有する、いわゆる両面基板を用いている。しかし、かかる構成に限らず、配線基板１は、片面のみに配線パターンを有する構成としてもよいし、絶縁体と３層以上のパターンをウエハース状に交互に積み重ねた、いわゆる多層基板についても同様に対応することができる。
【００２９】
図４、図５および図８Ａ、図８Ｂに示すように、導通部１１は、配線基板１の表面側および裏面側に形成されている。そして、表面側および裏面側の導通部１１は、接続片部１０を貫通する貫通孔１２の内周面に形成された導電皮膜１１ａを介して導通している。なお、配線基板１の配線パターンの表面側は、図示するように、ソルダーレジスト層１３で覆われており、かかるソルダーレジスト層１３を設けないことにより、前述しように、配線パターンを剥き出しにすることができる。
【００３０】
本実施形態では、ネジ端子２３を有する電子部品（ここではリレー２）を、配線基板１上に露出させた配線パターンによって形成された導通部１１に直接的に接触させ、ネジ３を介して電気的にも機械的にも接続可能としている。
【００３１】
したがって、ネジ３による強固な接続が可能となるとともに、３次元的に取り回す必要のある配線ケーブルを省略することができ、省スペース化にも寄与することができる。そして、かかる省スペース化によって、ひいては、上述のリレー２を備えた電気機器の小型化にも寄与することができる。
【００３２】
ところで、このようにネジ端子２３を介してリレー２を配線基板１に直接取付ける構成とした場合、リレー２の端子台３０の成形精度によっては、各ネジ端子２３の形成位置が、配線基板１に対する高さ方向で一定にならないことも考えられる。
【００３３】
すなわち、かかるリレー２を配線基板１に接続すると、ネジ３を取り付けた際に配線基板１にひずみが生じる箇所ができ、部分的に応力が集中することによって配線基板１を損傷してしまうおそれがある。また、各ネジ端子２３と配線基板１の接続部との間に隙間が生じ、電気的な接続に不具合が起こるおそれがある。
【００３４】
そこで、本実施形態では、リレー２を、ネジ端子２３を介して、配線基板１に直接ネジ止めして固定するに際し、配線基板１側には、ネジ端子２３にそれぞれ対応する片持ち支持によって弾性変形可能な接続片部１０を設けている（図７参照）。
【００３５】
このように、弾性変形可能な接続片部１０を、端子台３０の各ネジ端子２３に対応させているため、端子台３０の成形精度などにばらつきが生じたとしても、接続片部１０が個々に弾性変形するため、配線基板１における部分的な応力の集中を緩和することができる。また、各ネジ端子２３と配線基板１の接続部との間に隙間が生じることを抑制することができる。
【００３６】
また、ネジ３およびネジ端子２３を介して導通が取れるため、はんだ接続用のリードを備えたリレーを、はんだ付けなどを介して配線基板に接続するといった従来の構成に比べ、比較的大電流への対応も可能である。
【００３７】
（他の実施形態）
ここで、図９Ａ〜図１０を参照して、他の実施形態について説明する。なお、他の実施形態に係る電気機器で、先の実施形態と異なるのは、電子部品としてのリレーの形態が異なるのみであり、配線基板１などを含む他の構成は同じである。よって、同一構成の要素については、先の実施形態と同一符号を用いて説明を省略する場合がある。
【００３８】
図９Ａおよび図９Ｂは、電子部品の一形態であるセパレートタイプのリレー２００を示す説明図であり、図９Ａで示したセパレートタイプのリレー２００は、本体部２ａと端子台部２ｂとが着脱自在に構成されたセパレートタイプとなっている。このリレー２００は、先ず、端子台部２ｂを配線基板１に取付けた後、本体部２ａを端子台部２ｂにワンタッチ装着することができる構成を有する。すなわち、リレー２００は、本体部２ａには凸状接続部２５０が設けられる一方、端子台部２ｂには凹状接続部２４０が設けられており、両接続部２４０，２５０を介して本体部２ａと端子台部２ｂとが接続される。
【００３９】
図９Ａで示したリレー２００は、端子台部２ｂが形成された本体部２ａの一主面が、配線基板１の表面側に対峙した状態で配置されており、リレー２００の端子台部２ｂが配線基板１の裏面側からネジ止めされている。
【００４０】
他方、図９Ｂに示したリレー２００は、これもセパレートタイプではあるが、本体部２ａの一主面が、配線基板１の裏面側に対峙した状態で配置されており、図９Ａで示したリレー２００とは逆に、配線基板１の表面側からネジ止めされている。
【００４１】
このようなセパレートタイプのリレー２００であっても、配線接続用の複数のネジ端子２３が、配線基板１と対向する面、すなわち、リレー２００の一主面側に設けられていることには変わりがない。そして、かかるリレー２００が接続された配線基板１についても、リレー２００のネジ端子２３にそれぞれ対応し、一端が片持ち支持されて弾性変形可能な複数の接続片部１０が形成されているのである（図７参照）。
【００４２】
また、このようなセパレートタイプであれば、端子台部２ｂを先に配線基板１に取付け、その後、本体部２ａを端子台部２ｂに取り付けるといった手順により、容易にリレー２００を配線基板１に取り付けることができる。
【００４３】
次に、さらなる他の実施形態として、図１０に示すリレー２０１の配線基板１への取付構造について説明する。この実施形態における電気機器についても、先の実施形態と異なるのは、電子部品としてのリレー２０１の形態が異なるのみであり、配線基板１などを含む他の構成は同じである。
【００４４】
図１０は、電子部品の一形態である多段型のリレー２０１を示す説明図である。図示するように、多段型のリレー２０１も本体部２０ａと端子台部２０ｂとが着脱自在に構成されたセパレートタイプである。端子台部２０ｂには、ネジ端子２３が設けられる第１の端子取付面２３１と、第２の端子取付面２３２とが、高さ違いの階段状に形成されている。
【００４５】
そして、配線基板１の接続片部１０（図６参照）に対し、当該接続片部１０と離隔した第２の端子取付面２３２のネジ端子２３は、スペーサ２０２を介してネジ止めしている。なお、このリレー２０１では、第１の端子取付面２３１および第２の端子取付面２３２に導通板３２が設けられる。また、スペーサ２０２の上端面と配線基板１との間には環状の導電体３３が介設されている。
【００４６】
かかる構成のリレー２０１であっても、配線接続用の複数のネジ端子２３が、配線基板１と対向する面、すなわち、リレー２０１の一主面側に設けられていることには変わりがない。そして、かかるリレー２０１が接続された配線基板１についても、リレー２０１のネジ端子２３にそれぞれ対応し、一端が片持ち支持されて弾性変形可能な複数の接続片部１０が形成されているのである（図７参照）。
【００４７】
以上、電子部品を、リレー２（２００，２０１）として説明したが、その形状やネジ端子２３の数などは、適宜変更可能である。また、電子部品としてはリレー２（２００，２０１）でなくてもよく、配線接続用の複数のネジ端子２３が一主面側に設けられた電子部品であればよい。
【００４８】
また、リレー２（２００，２０１）として説明した電子部品と、当該電子部品が接続された配線基板１とを備える電気機器については、特にその種類などを限定するものではないが、例えば、図１１に示すような外部機器との電力の需給を行うパワーコンディショナ５とすることができる。図１１は、本実施形態に係る電気機器の一例を示す説明図である。
【００４９】
パワーコンディショナ５は、発電装置から供給される直流電力を所定の交流電力に変換する機能を有する電気機器であり、例えば、図１１に示すように、発電装置である太陽光電池パネル６と入力ケーブル５１を介して接続する一方、交流電力の交流電源７と出力ケーブル７１を介して接続している。そして、自立運転用の出力端子あるいはコンセント５３を設けている例もある。これらの出力端子あるいはコンセント５３に電線５２を繋ぐことによって、例えば、停電時にも電気器具８に電力を供給することができる。なお、太陽光電池パネル６は、太陽光を受けて直流電力を発生する複数の太陽電池セルにより構成されており、例えば、家屋の屋根などに設けられる。
【００５０】
また、図１１で示したパワーコンディショナ５は、配線基板１に図２で示したリレー２を接続したものとしたが、図９Ａ〜図１０にそれぞれ示したタイプのリレー２００，２０１であってもよいことは言うまでもない。また、配線基板１に接続される電子部品としては、前述したように、必ずしもリレーに限るものではない。
【００５１】
以上、電気機器について、上述してきた実施形態を通して説明したが、さらなる効果や変形例などは、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５２】
１    配線基板（プリント配線基板）
２，２００，２０１    リレー（電子部品）
３    ネジ
５    パワーコンディショナ（電気機器）
１０    接続片部
２１    第１隔壁構成体
２２    第２隔壁構成体
２３    ネジ端子
２４    端子接続部
２４ａ    第１接続部列
２４ｂ    第２接続部列
２５    隔壁
３０    端子台
１００  開口部
１１０    幹状スリット
１２０    枝状スリット
【図１】
2014103225.tif 000003
【図２】
2014103225.tif 000004
【図３Ａ】
2014103225.tif 000005
【図３Ｂ】
2014103225.tif 000006
【図４】
2014103225.tif 000007
【図５】
2014103225.tif 000008
【図６】
2014103225.tif 000009
【図７】
2014103225.tif 000010
【図８Ａ】
2014103225.tif 000011
【図８Ｂ】
2014103225.tif 000012
【図９Ａ】
2014103225.tif 000013
【図９Ｂ】
2014103225.tif 000014
【図１０】
2014103225.tif 000015
【図１１】
2014103225.tif 000016
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
配線接続用の複数のネジ端子が一主面側に設けられた電子部品と、当該電子部品が接続された配線基板とを備え、
前記電子部品は、
それぞれ前記ネジ端子が設けられる複数の端子接続部が隔壁を介して区画形成された端子台を備えるとともに、前記隔壁は、前記端子台の略中央で長手方向に延在する第１隔壁構成体と、前記端子台の短手方向にそれぞれ延在し、一定間隔をあけて前記第１隔壁構成体と交差する複数の第２隔壁構成体とを備え、
前記配線基板は、
前記電子部品の前記ネジ端子にそれぞれ対応し、一端が片持ち支持されて弾性変形可能な複数の接続片部が形成されるとともに、前記隔壁を挿通可能とした開口部が形成されており、当該開口部は、前記第１隔壁構成体に対応する幹状スリットと、前記複数の第２隔壁構成体にそれぞれ対応し、前記幹状スリットと交差する方向に延在する複数の枝状スリットとを有し、当該配線基板の各前記接続片部と前記電子部品の各前記ネジ端子とを、ネジを介して機械的かつ電気的に接続した
ことを特徴とする電気機器。
【請求項２】
前記第１隔壁構成体は、前記複数の端子接続部を第１接続部列と第２接続部列とに区画し、
前記第２隔壁構成体は、前記第１接続部列内および前記第２接続部列内の端子接続部をそれぞれ個別に区画する
ことを特徴とする請求項１に記載の電気機器。
【請求項３】
前記電子部品は、
前記一主面が前記配線基板の表面側に対峙した状態で配置され、前記配線基板の裏面側からネジ止めされている
ことを特徴とする請求項１または２に記載の電気機器。
【請求項４】
前記電子部品は、
前記一主面が前記配線基板の裏面側に対峙した状態で配置され、前記配線基板の表面側からネジ止めされている
ことを特徴とする請求項１または２に記載の電気機器。
【請求項５】
前記電子部品は、
前記ネジ端子が設けられる端子取付面が高さ違いの階段状に形成されており、前記配線基板の前記接続片部に対し、当該接続片部と離隔した前記端子取付面の前記ネジ端子は、スペーサを介してネジ止めされている
ことを特徴とする請求項３または４に記載の電気機器。
【手続補正２】
【補正対象書類名】明細書
【補正対象項目名】０００７
【補正方法】変更
【補正の内容】
【０００７】
実施形態の一態様に係る電気機器は、配線接続用の複数のネジ端子が一主面側に設けられた電子部品と、当該電子部品が接続された配線基板とを備え、前記電子部品は、それぞれ前記ネジ端子が設けられる複数の端子接続部が隔壁を介して区画形成された端子台を備えるとともに、前記隔壁は、前記端子台の略中央で長手方向に延在する第１隔壁構成体と、前記端子台の短手方向にそれぞれ延在し、一定間隔をあけて前記第１隔壁構成体と交差する複数の第２隔壁構成体とを備え、前記配線基板は、前記電子部品の前記ネジ端子にそれぞれ対応し、一端が片持ち支持されて弾性変形可能な複数の接続片部が形成されるとともに、前記隔壁を挿通可能とした開口部が形成されており、当該開口部は、前記第１隔壁構成体に対応する幹状スリットと、前記複数の第２隔壁構成体にそれぞれ対応し、前記幹状スリットと交差する方向に延在する複数の枝状スリットとを有し、当該配線基板の各前記接続片部と前記電子部品の各前記ネジ端子とを、ネジを介して機械的かつ電気的に接続する。